(57)【要約】【課題】空調機器の増加にも容易に対応することができる空気調和システムを得る。【解決手段】ローカルバス２１により通信接続した空調機器を管理し、空調機器の状態を示す属性情報のデータを記憶する第１記憶手段５１を有する１又は複数の分散管理装置１１と、１又は複数の分散管理装置１１とメインバス２２を介して通信接続してシステム内の空調機器を管理し、システム内の空調機器に係る属性情報のデータを記憶する第２記憶手段６１を有する集中管理装置１２とを備え、分散管理装置１１は、第１記憶手段５１が記憶する属性情報のデータの更新処理を行い、ＤＢ同期ファイルに、更新に係る属性情報のデータを格納する第１モニタ制御手段５２と、メインバス側通信手段５４とをさらに備え、また、集中管理装置１２は、集中管理通信手段６４と、第２記憶手段６１に記憶された属性情報のデータの更新処理を行う第２モニタ制御手段６２とをさらに備える。【選択図】図１
2011163763.tif 000002
【特許請求の範囲】
【請求項１】
ローカルバスにより通信接続した、通信管理単位となる空調機器群を構成する１又は複数の空調機器をそれぞれ管理し、前記空調機器の状態を示す属性情報のデータを記憶する第１記憶手段を有する１又は複数の分散管理装置と、
該１又は複数の分散管理装置とメインバスを介して通信接続して、システム内の空調機器を管理し、前記システム内の前記空調機器に係る前記属性情報のデータを記憶する第２記憶手段を有する集中管理装置とを備え、
前記１又は複数の分散管理装置は、管理する空調機器からの空調制御情報に含まれる属性情報のデータに基づいて、前記第１記憶手段が記憶する属性情報のデータの更新処理を行い、更新に係る属性情報のデータの種類を判断し、前記属性情報のデータの種類に対応して設けられた複数のＤＢ同期ファイルのうち、判断した種類に対応する前記ＤＢ同期ファイルに、前記更新に係る属性情報のデータを格納する第１モニタ制御手段と、それぞれ異なる周期で各ＤＢ同期ファイルを含む信号を前記メインバスに送信するメインバス側通信手段とをさらに備え、
また、前記集中管理装置は、前記メインバスを介して送信される前記各ＤＢ同期ファイルを含む信号を受信する集中管理通信手段と、受信に係る前記ＤＢ同期ファイルに格納された前記属性情報のデータに基づいて、前記第２記憶手段に記憶された属性情報のデータの更新処理を行う第２モニタ制御手段と
をさらに備えることを特徴とする空気調和システム。
【請求項２】
ローカルバスにより通信接続した、通信管理単位となる空調機器群を構成する１又は複数の空調機器をそれぞれ管理し、前記空調機器の状態を示す属性情報のデータを記憶する第１記憶手段を有する１又は複数の分散管理装置と、
該１又は複数の分散管理装置とメインバスを介して通信接続して、システム内の空調機器を管理し、前記システム内の前記空調機器に係る前記属性情報のデータを記憶する第２記憶手段を有する集中管理装置とを備え、
前記集中管理装置は、前記空調機器の操作制御情報を含む信号を受信する入力手段と、前記操作制御情報に含まれる属性情報のデータに基づいて、前記第２記憶手段が記憶する属性情報のデータの更新処理を行い、更新に係る属性情報のデータの種類を判断し、前記属性情報のデータの種類に対応して設けられた複数のＤＢ同期ファイルのうち、判断した種類に対応する前記ＤＢ同期ファイルに、前記更新に係る属性情報のデータを格納する第２設定制御手段と、それぞれ異なる周期で各ＤＢ同期ファイルを含む信号を前記メインバスに送信する集中管理通信手段とをさらに備え、
また、前記１又は複数の分散管理装置は、前記メインバスを介して、自身に送信されたものと判断した前記各ＤＢ同期ファイルを含む信号を受信するメインバス側通信手段と、受信に係る前記ＤＢ同期ファイルに格納された前記属性情報のデータに基づいて、前記第１記憶手段に記憶された属性情報のデータの更新処理を行う第１設定制御手段と
をさらに備えることを特徴とする空気調和システム。
【請求項３】
前記入力手段は、操作指示を入力するためのキーボード、マウス、スイッチ及び／又はタッチパネルであることを特徴とする請求項２記載の空気調和システム。
【請求項４】
前記入力手段は、別の装置から送信される前記操作制御情報を含む信号を受信するための通信手段であることを特徴とする請求項２記載の空気調和システム。
【請求項５】
複数種類の信号が伝送可能なローカルバスにより通信接続した、通信管理単位となる空調機器群を構成する１又は複数の空調機器をそれぞれ管理し、前記空調機器の状態を示す属性情報のデータを記憶する第１記憶手段と、前記複数種類の信号による通信をすることができるローカルバス側通信手段とを有する１又は複数の分散管理装置と、
サブバスによる通信接続に係る前記空調機器群と前記ローカルバスとの間で信号変換処理を行い、前記サブバスによる通信接続に係る前記空調機器群を構成する１又は複数の空調機器を前記ローカルバスと通信接続する中継装置と、
該１又は複数の分散管理装置とメインバスを介して通信接続して、システム内の空調機器を管理し、前記システム内の前記空調機器に係る前記属性情報のデータを記憶する第２記憶手段を有する集中管理装置とを備え、
前記１又は複数の分散管理装置は、管理する空調機器からの空調制御情報に含まれる属性情報のデータに基づいて、前記第１記憶手段が記憶する属性情報のデータの更新処理を行い、更新に係る属性情報のデータの種類を判断し、前記属性情報のデータの種類に対応して設けられた複数のＤＢ同期ファイルのうち、判断した種類に対応する前記ＤＢ同期ファイルに、前記更新に係る属性情報のデータを格納する第１モニタ制御手段と、それぞれ異なる周期で各ＤＢ同期ファイルを含む信号を前記メインバスに送信するメインバス側通信手段とをさらに備え、
また、前記集中管理装置は、前記メインバスを介して送信される前記各ＤＢ同期ファイルを含む信号を受信する集中管理通信手段と、受信に係る前記ＤＢ同期ファイルに格納された前記属性情報のデータに基づいて、前記第２記憶手段に記憶された属性情報のデータの更新処理を行う第２モニタ制御手段と
をさらに備えることを特徴とする空気調和システム。
【請求項６】
複数種類の信号が伝送可能なローカルバスにより通信接続した、通信管理単位となる空調機器群を構成する１又は複数の空調機器をそれぞれ管理し、前記空調機器の状態を示す属性情報のデータを記憶する第１記憶手段と、前記複数種類の信号による通信をすることができるローカルバス側通信手段とを有する１又は複数の分散管理装置と、
サブバスによる通信接続に係る前記空調機器群と前記ローカルバスとの間で信号変換処理を行い、前記サブバスによる通信接続に係る前記空調機器群を構成する１又は複数の空調機器を前記ローカルバスと通信接続する中継装置と、
該１又は複数の分散管理装置とメインバスを介して通信接続して、システム内の空調機器を管理し、前記システム内の前記空調機器に係る前記属性情報のデータを記憶する第２記憶手段を有する集中管理装置とを備え、
前記集中管理装置は、前記空調機器の操作制御情報を含む信号を受信する入力手段と、前記操作制御情報に含まれる属性情報のデータに基づいて、前記第２記憶手段が記憶する属性情報のデータの更新処理を行い、更新に係る属性情報のデータの種類を判断し、前記属性情報のデータの種類に対応して設けられた複数のＤＢ同期ファイルのうち、判断した種類に対応する前記ＤＢ同期ファイルに、前記更新に係る属性情報のデータを格納する第２設定制御手段と、それぞれ異なる周期で各ＤＢ同期ファイルを含む信号を前記メインバスに送信する集中管理通信手段とをさらに備え、
また、前記１又は複数の分散管理装置は、前記メインバスを介して、自身に送信されたものと判断した前記各ＤＢ同期ファイルを含む信号を受信するメインバス側通信手段と、受信に係る前記ＤＢ同期ファイルに格納された前記属性情報のデータに基づいて、前記第１記憶手段に記憶された属性情報のデータの更新処理を行う第１設定制御手段と
をさらに備えることを特徴とする空気調和システム。
【請求項７】
前記入力手段は、操作指示を入力するためのスイッチ、キーボード、スイッチ及び／又はタッチパネルであることを特徴とする請求項６記載の空気調和システム。
【請求項８】
前記入力手段は、別の装置から送信される前記操作制御信号を受信するための通信手段であることを特徴とする請求項６記載の空気調和システム。
【請求項９】
周波数多重方式によって前記ローカルバスに前記複数種類の信号を伝送することを特徴とする請求項５乃至８のいずれかに記載の空気調和システム。
【請求項１０】
符号多重方式によって前記ローカルバスに前記複数種類の信号を伝送することを特徴とする請求項５乃至８のいずれかに記載の空気調和システム。
【発明の詳細な説明】
【技術分野】
【０００１】
本発明は空気調和システムに関するものである。特にバス（伝送線）に接続された複数の機器が、バスを介して通信を行うための通信系統に関するシステム構成に係るものである。
【背景技術】
【０００２】
従来から空気調和システム（以下、空調システムという）では、室外機、室内機といった空調機器などをバス（伝送線）で接続して通信系統に係るシステムを構築し、互いに制御に係るデータを含む信号を通信し合うことにより、連携して空調機能に係る動作を行っている。さらに、例えばバス上に集中管理装置を接続させ、空調機器の運転状態などを定時モニタ(監視)することにより、空調機器のメンテナンス、インターネット経由での遠隔監視などを可能にしている。
【０００３】
上記のような通信系統に係るシステムは、基本的には数十台程度の室内機を制御するためのシステムを対象として構築することが多い。例えばホテルなどの大規模の物件に対応しようとすると、数百台以上の室内機を制御できるように規模を拡張する必要がある。
【０００４】
このため、例えば、ローカルバスに室内機と室外機を接続し、単独動作可能である最小単位のフィールドバスを構築し、さらにフィールドバスとコンバータを介して上位バスに接続して、他のフィールドバスとは上位バスを経由して通信することにより、全体としてシステム規模の拡張を実現している空調通信システムが提案されている（例えば、特許文献１参照）。
【０００５】
コンバータは、上位バスとフィールドバスとの間でプロトコル変換処理を行っている。この通信システムによれば、室外機と室内機の制御情報はフィールドバス内に隔離されるため、フィールドバスを複数配置し、空調機器数を拡張してもフィールドバス内の通信トラヒックを大きく増加させることなくシステム規模を拡張できる。
【先行技術文献】
【特許文献】
【０００６】
【特許文献１】特開２００４−３０１４３０号公報
【発明の概要】
【発明が解決しようとする課題】
【０００７】
しかしながら、定められた通信アドレス体系で許容できる空調機器数以上に規模を拡張する場合には、通信元、通信先を特定するための通信用のアドレス（以下、単にアドレスという）に関しても拡張、整理を行う必要がある。そして、アドレスの拡張に伴って空調機器のハードウェア、通信制御のためのソフトウェアの変更、通信プロトコルの再設計などが必要となっていた。
【０００８】
また、例えば上位バスに複数台の集中管理装置や新しい機器が接続された場合には、フィールドバス内の通信トラヒックが増大し、フィールドバスのネットワーク通信容量限界を超える可能性があった。
【０００９】
そこで、本発明は上記のような問題を解決するためになされたものであり、空調機器の増加にも容易に対応することができる空気調和システムを得ることを目的とする。
【課題を解決するための手段】
【００１０】
本発明に係る空気調和システムは、ローカルバスにより通信接続した、通信管理単位となる空調機器群を構成する１又は複数の空調機器をそれぞれ管理し、空調機器の状態を示す属性情報のデータを記憶する第１記憶手段を有する１又は複数の分散管理装置と、１又は複数の分散管理装置とメインバスを介して通信接続して、システム内の空調機器を管理し、システム内の空調機器に係る属性情報のデータを記憶する第２記憶手段を有する集中管理装置とを備え、１又は複数の分散管理装置は、管理する空調機器からの空調制御情報に含まれる属性情報のデータに基づいて、第１記憶手段が記憶する属性情報のデータの更新処理を行い、更新に係る属性情報のデータの種類を判断し、属性情報のデータの種類に対応して設けられた複数のＤＢ同期ファイルのうち、判断した種類に対応するＤＢ同期ファイルに、更新に係る属性情報のデータを格納する第１モニタ制御手段と、それぞれ異なる周期で各ＤＢ同期ファイルを含む信号をメインバスに送信するメインバス側通信手段とをさらに備え、また、集中管理装置は、メインバスを介して送信される各ＤＢ同期ファイルを含む信号を受信する集中管理通信手段と、受信に係るＤＢ同期ファイルに格納された属性情報のデータに基づいて、第２記憶手段に記憶された属性情報のデータの更新処理を行う第２モニタ制御手段とをさらに備える。
【発明の効果】
【００１１】
本発明によれば、１又は複数の分散管理装置が有する第１記憶手段による属性情報のデータの記憶と集中管理装置が有する第２記憶手段による属性情報のデータの記憶とを、１又は複数の分散管理装置と集中管理装置の間で属性情報のデータを含む信号を通信することで同期させることができる。このとき、１又は複数の分散管理装置と集中管理装置との間では、それぞれの属性情報の更新に係る属性情報のみを通信するようにしたので、メインバスを効率的に利用することができ、さらに多くの分散管理装置、空調機器群の設置に対応することができる。
【００１２】
また、属性情報の種類に基づいて、更新に係る属性情報を複数のＤＢ同期ファイルに分けて格納し、各同期ファイルを含む信号を周期を異ならせて送信するようにしたので、例えば異常状態の通知など、素早く応答する必要がある重み付けの高い属性情報に係る同期ファイルを含む信号を優先して送信することができ、メインバスの通信トラヒックの混雑を招くことなく、十分な応答性を確保することができる。
【図面の簡単な説明】
【００１３】
【図１】本発明の実施の形態１、２に係る空調システムの構成を示した図である。
【図２】実施の形態１の分散管理装置１１の構成を示すブロック図である。
【図３】実施の形態１、３の集中管理装置１２の構成を示すブロック図である。
【図４】属性情報ＤＢ４１のデータ構造を表した図である。
【図５】ＤＢ同期ファイル４２のデータ構造を表した図である。
【図６】実施の形態２の分散管理装置１１の構成を示すブロック図である。
【図７】実施の形態２の集中管理装置１２の構成を示すブロック図である。
【図８】実施の形態３の空気調和システムの構成を示すブロック図である。
【図９】実施の形態３の分散管理装置１１の構成を示すブロック図である。
【図１０】中継装置１３の構成を示すブロック図である。
【図１１】周波数多重における第１伝送方式と第２伝送方式の信号を示す図である。
【図１２】符号多重における第１伝送方式と第２伝送方式の信号を示す図である。
【発明を実施するための形態】
【００１４】
実施の形態１．
図１は、本発明の実施の形態１に係る空調システムの構成を示した図である。図１では特に空調システムにおける通信系統に係るシステムの構成を中心として表している。図１において、本実施の形態の空調システムは、室外機１は室外機１Ａ及び１Ｂ、室内機３は、室内機３Ａ−１、３Ａ−２、３Ｂ−１及び３Ｂ−２を有しているものとする（特に区別する必要がない場合には室外機１、室内機３とする。以下の各手段の符号についても同様とする）。室外機１及び室内機３は実際に空調対象空間の空気調和を行うための機器である。空気調和を行うための手段として、室外機１は圧縮機、熱源側熱交換器など（図示せず）を有し、また、室内機３は膨張弁、負荷側熱交換器など（図示せず）を有している。室外機１及び室内機３を冷媒配管２４で接続し、冷凍サイクルを構築し、冷媒を循環させることで、負荷側熱交換器において冷媒の蒸発又は凝縮をさせ、空調対象空間の空気調和を行う。
【００１５】
また、リモートコントローラ（リモコン）４Ａ及び４Ｂを有しているものとする。リモコン４は、例えば操作者などが入力した運転又は停止、設定温度、冷暖房の運転モードなどの操作指示に係るデータを含む信号を送信する入力装置となる。また、空気調和機２の運転状態などのデータを含む信号を受信し、表示などを行う装置ともなる。以下では、室外機１及び室内機３並びにリモコン４について、特に区別しない場合、これらをまとめて空調機器とする。
【００１６】
ここで、空調機器に関する通信管理単位（グループ）を空調機器群３１とし、空調システム内に１又は複数の空調機器群３１を形成する。本実施の形態では、冷媒配管２４により接続した室外機１及び室内機３と、それらの機器に指示などを行うためのリモコン４とで１つの空調機器群３１を構成することにする。そのため、ローカルバス２１Ａにより接続された室外機１Ａ、室内機３Ａ−１及び３Ａ−２並びにリモコン４Ａで空調機器群３１Ａを構成する。また、ローカルバス２１Ｂにより接続された室外機１Ｂ、室内機３Ｂ−１及び３Ｂ−２並びにリモコン４Ｂで空調機器群３１Ｂを構成する。
【００１７】
ここで、空調機器の通信について説明する。各空調機器は少なくとも制御処理手段及び通信手段（図示せず）を有しており、空調機器の通信は、これらの手段が信号及び信号に含まれるデータを処理することにより行われる。制御処理手段は、入力される指示、各種検知手段（図示せず）から入力される温度、圧力などの物理量のデータなどに基づいて、空調機器が有する各手段を制御、状態の判断、各種データの生成などの処理を行う。また、通信手段を介した各種データを含む信号の送受信を行うことができる。空調機器の通信手段は、伝送線となるローカルバス２１に接続することにより各種データを含む信号の通信（信号の送受信）をそれぞれ行うことができる。ここで、空調機器群３１内の各空調機器にはそれぞれユニークな（ただ１つの）アドレスが割り当てれられている。このため、各空調機器は、信号に含まれる通信先のアドレスに係るデータに基づいて、ローカルバス２１を伝送する信号の送信先が自分であるかどうかを判断することで、その信号の処理行う又は無視をすることができる。
【００１８】
本実施の形態においては、各空調機器は空調制御情報に係るデータ（以下、空調制御情報という）を含む信号をローカルバス２１を介して通信するものとする。空調制御情報とは、例えば室内機３の膨張弁制御などの空調制御、電源操作、目標温度変更などの空調機器の空調操作、吸込み温度・冷媒圧力、冷媒温度などの空調機器の運転状態に関するモニタ要求及びそのモニタ応答、空調機器自身が自己の異常などを他の機器へ通知する異常通報といった種類があり、例えば空調機器群３１を構成する空調機器の制御などに係るデータである。
【００１９】
また、それぞれのローカルバス２１には、空調機器群３１（ローカルバス２１に接続された空調機器）の状態を管理するための分散管理装置１１も接続している。分散管理装置１１はローカルバス２１の数と同じ数だけシステム内に設けられており、ローカルバス２１を介して通信接続された空調機器群３１とメインバス２２を介して通信接続された集中管理装置１２との間のインターフェースとなる。そのため、各空調機器群３１は、分散管理装置１１を介して集中管理装置１２と通信接続されることになる。そして、各分散管理装置１１は、管理する空調機器群３１について、システム内でユニークな（ただ１つの）グループＩＤに関するデータをそれぞれ有している。本実施の形態では、グループＩＤ＝１が付された空調機器群３１Ａは分散管理装置１１Ａが管理し、グループＩＤ＝２が付された空調機器群３１Ｂは分散管理装置１１Ｂが管理するものとする。これにより、分散管理装置１１が管理する空調機器群３１を該グループＩＤにより判断することができる。分散管理装置１１の構成などについては後述する。
【００２０】
各分散管理装置１１とメインバス２２を介して通信接続している集中管理装置１２は、例えば、システム管理者など、外部からの指示操作などに基づいて、システム全体の空調機器を集中的に管理する装置である。集中管理装置１２の構成などについては後述する。
【００２１】
ここで、本実施の形態のシステム内の分散管理装置１１及び集中管理装置１２は、後述するように、各空調機器について運転状態を示すための属性情報のデータ（以下、属性情報という）を空調機器群３１ごとに管理したデータの集合（データベース）である属性情報ＤＢ４１を、それぞれが有する記憶手段に記憶している。そして、空調機器からのモニタ応答や外部からの指示操作などにより更新された属性情報が格納された、後述する各ＤＢ同期ファイル４２を含む信号を互いに通信することにより、それぞれの属性情報ＤＢ４１を更新して同期させ、また、空調機器の設定制御、運転状態のモニタ（監視）などを行う。ここで、分散管理装置１１Ａ、１１Ｂには、それぞれ属性情報ＤＢ４１Ａ−１、属性情報ＤＢ４１Ｂ−１が管理、記憶され、集中管理装置１２には、属性情報ＤＢ４１Ａ−２、属性情報ＤＢ４１Ｂ−２が管理、記憶されるものとする。
【００２２】
図２は分散管理装置１１の構成を示すブロック図である。本実施の形態の分散管理装置１１は、第１記憶手段５１、第１モニタ制御手段５２、第１設定制御手段５３、メインバス側通信手段５４及びローカルバス側通信手段５５で構成する。
【００２３】
第１記憶手段５１は、前述したように、空調機器群３１の空調機器に係る属性情報を属性情報ＤＢ４１−１として記憶するための手段である。第１モニタ制御手段５２は、管理下にある空調機器群３１の各空調機器の運転状態を定時的にモニタ（監視）する処理を行う。そのため、ローカルバス側通信手段５５を介して各空調機器にモニタ要求の信号を送信する。そして、モニタ要求の信号に対する空調機器からのモニタ応答の信号に含まれる属性情報を処理し、属性情報ＤＢ４１−１のデータの内容を更新する処理を行う。また、更新に係る属性情報を、ファイル形式のデータとして管理するＤＢ同期ファイル４２−１にも格納していく。そして、メインバス側通信手段５４に対して、ＤＢ同期ファイル４２−１を含む信号を、所定の間隔で定期的に送信させる処理を行う。送信間隔については、メインバス２２に接続している分散管理装置１１の数、通信速度などによっても異なり、任意に設定することができるが、本実施の形態では例えばＤＢ同期ファイル４２−１を含む信号を１秒間隔で送信するものとする。また、例えば更新に係る属性情報が格納されているかどうかを判断し、されていなければメインバス側通信手段５４に信号の送信を行わせない等の処理を行うようにしてもよい。
【００２４】
第１設定制御手段５３は、メインバス側通信手段５４の受信に係る集中管理装置１２からのＤＢ同期ファイル４２−２の信号に含まれる属性情報を処理し、属性情報ＤＢ４１−１の内容を更新する処理を行う。また、その属性情報に係る空調制御情報を含む信号をローカルバス側通信手段５５に送信させるための処理を行う。
【００２５】
メインバス側通信手段５４は、メインバス２２を介して集中管理装置１２との間で通信を行うための手段である。本実施の形態では、特にＤＢ同期ファイル４２−１を含む信号を送信し、ＤＢ同期ファイル４２−２を含む信号を受信する。一方、ローカルバス側通信手段５５は、ローカルバス２１を介して空調機器群３１を構成する各空調機器との間で通信を行うための手段である。本実施の形態では、特に空調制御情報を含む信号の通信を行う。
【００２６】
図３は集中管理装置１２の構成を示すブロック図である。本実施の形態の集中管理装置１２は、第２記憶手段６１、第２モニタ制御手段６２、第２設定制御手段６３、集中管理側通信手段６４、表示処理手段６６及び入力手段６７で構成する。
【００２７】
第２記憶手段６１には、システム内の各空調機器群３１に関する属性情報ＤＢ４１−２がそれぞれ記憶されており、これによりシステム内の空調機器の属性情報に係るデータを記憶する。第２モニタ制御手段６２は、各分散管理装置１１からのＤＢ同期ファイル４２−１の属性情報に基づいて、対応する属性情報ＤＢ４１−２の内容を更新する処理を行う。
【００２８】
第２設定制御手段６３は、例えば入力手段６７から入力された操作制御情報に係るデータ（以下、操作制御情報という）に基づいて対応する属性情報ＤＢ４１−２の内容を更新する処理を行う。また、更新に係る属性情報を、対応するＤＢ同期ファイル４２−２に格納していく。そして、集中管理側通信手段５４に対して、ＤＢ同期ファイル４２−２を含む信号を所定の間隔で定期的に送信させる処理を行う。ここでも、上述したように、送信間隔は任意に設定することができ、例えば更新に係る属性情報が格納されているかどうかを判断する処理を行うようにしてもよい。
【００２９】
集中管理通信手段６４は、メインバス２２を介して各分散管理装置１１（各分散管理装置１１を介した各空調機器）との間で通信を行うための手段である。また、表示処理手段６６は、画面など（図示せず）を有しており、例えば第２記憶手段６１が記憶する属性情報ＤＢ４１−２に基づいて表示のための処理を行い、その内容を画面などに表示する。そして、入力手段６７は、入力に係る操作制御情報を含む信号（入力信号）を第２設定制御手段に送信するためのものである。本実施の形態ではタッチパネルで構成しているものとし、操作者のタッチパネル操作に基づいて操作制御情報を含む信号を第２設定制御手段６３に送信するものとする。ただ、入力手段についてはタッチパネルに限定するものではなく、例えばスイッチ、キーボード、マウスなどのユーザインタフェースとなる手段であってもよいし、集中管理装置１２よりもさらに上位のコントローラ（管理装置）などのシステム外の別の装置と通信接続するためのＥｔｈｅｒｎｅｔ（登録商標）などを利用した通信手段としてもよい。
【００３０】
図４は属性情報ＤＢ４１のデータ構造例を表した図である。属性情報ＤＢ４１は、前述したように、空調機器群３１の空調機器ごとの運転状態に係るデータベースであり、少なくとも機種、アドレス、各属性の属性値のデータを各空調機器に対して有している。属性とは、例えば電源状態、吸込み温度などの運転状態の種類を表す。また、属性値とは、例えば電源状態でのＯＮ／ＯＦＦ、吸込み温度においては例えば２０℃など、空調機器の状態を値として表したものやセンサ（検知手段）の検出した値である。ここで、本実施の形態においては、属性名ごとにあらかじめ属性ＩＤ（数字）を１対１で対応させ、処理に係る手段が判断できるようにしている。そのため、通信の際、属性名のデータを信号に含める代わりに、属性ＩＤのデータを含めて送信することで、一般的に通信に係るデータ量を少なくすることができる。
【００３１】
図５はＤＢ同期ファイル４２のデータ構造を表した図である。ＤＢ同期ファイル４２には、属性情報ＤＢ４１の更新に係る属性情報を格納し、管理するためのファイル形式のデータであり、更新する属性に係る属性ＩＤ、更新に係る空調機器のアドレス、更新に係る属性値のデータを組とする属性情報を、一時的に１又は複数格納することができる。また、前述したように、ＤＢ同期ファイル４２は空調機器群３１（分散管理装置１１）ごとにある（生成される）。そのため、ＤＢ同期ファイル４２には空調機器群３１を識別するためのグループＩＤのデータも含まれている。
【００３２】
（集中管理装置からの操作）
次に集中管理装置１２側から空調機器を操作する場合の空調システムにおける各手段の処理手順について説明する。まず、外部の指示操作などに基づいて、例えば空調機器（ここで、具体例として例えばグループＩＤ＝１、アドレス００１の室内機３Ａ−１とする）の電源ＯＦＦに係る操作制御情報を含む信号が入力手段６７から第２設定制御手段６３に送信される。
【００３３】
第２設定制御手段６３は、第２記憶手段６１を検索し、グループＩＤ＝１に係る属性情報ＤＢ４１Ａ−２から、対応する空調機器（アドレス００１の室内機３Ａ−１）の電源状態を確認する。そして、操作制御情報の属性情報の内容との間で差異がある（記憶された属性値が電源ＯＮのデータである）と判断すると、電源ＯＦＦのデータに属性情報ＤＢ４１Ａ−２の内容を更新する処理を行う。また、更新した属性情報（アドレス＝００１、属性ＩＤ＝１、属性値＝ＯＦＦ）をグループＩＤ＝１に係るＤＢ同期ファイル４２Ａ−２に格納する処理を行う。
【００３４】
そして第２設定制御手段６３は、所定の時間ごとに各空調機器群３１（分散管理装置１１）のＤＢ同期ファイル４２Ａ−２を含む信号を集中管理通信手段６４に送信させる。この信号はメインバス２２により伝送される。
【００３５】
一方、分散管理装置１１Ａ側においては、メインバス側通信手段５４Ａの受信に係るＤＢ同期ファイル４２Ａ−２に基づいて、第１設定制御手段５３Ａが、第１記憶手段５１Ａを検索し、属性情報ＤＢ４１Ａ−１から、対応する空調機器（アドレス００１の室内機３Ａ−１）の電源状態を確認する。そして、ＤＢ同期ファイル４２Ａ−２の属性情報の内容との間で差異があると判断すると、属性情報ＤＢ４１Ａ−１の内容を更新し、更新に係る属性情報に基づいて空調制御情報を生成する。また、空調制御情報を含む信号をローカルバス側通信手段５５Ａに送信させる。ローカルバス２１Ａを介して空調制御情報を含む信号を受信したアドレス００１の空調機器である室内機３Ａ−１は、電源をＯＦＦにして運転を停止する。
【００３６】
（空調機器の運転状態モニタ）
次に、集中管理装置１２がシステム内の各空調機器に関する属性情報（運転状態）を収集する（記憶する）際の各手段の処理動作について説明する。ここでは具体例として分散管理装置１１Ａについて説明するが、分散管理装置１１Ｂについても同様である。
【００３７】
分散管理手段１１Ａの第１モニタ制御手段５２Ａは、管理下にある空調機器（ローカルバス２１Ａで接続した空調機器）に対する、モニタ要求に関する空調制御情報の信号を、ローカルバス側通信手段５５Ａに送信させる。そして、ローカルバス側通信手段５５Ａは、モニタ要求の信号に対するモニタ応答の信号を受信する。第１モニタ制御手段５２Ａは、モニタ応答に係る属性情報に基づいて、属性情報ＤＢ４１Ａ−１の属性情報の内容との間で差異があると判断すると、属性情報ＤＢ４１Ａ−１を更新する処理を行う。また、更新に係る属性情報をＤＢ同期ファイル４２Ａ−１に格納する。
【００３８】
そして、第１モニタ制御手段５２Ａは、所定の時間ごとにＤＢ同期ファイル４２Ａ−１を含む信号をメインバス側通信手段５４Ａに送信させる。この信号はメインバス２２を伝送する。
【００３９】
集中管理装置１２側においては、集中管理通信手段６４の受信に係るＤＢ同期ファイル４２Ａ−１に基づいて、第２モニタ制御手段６２は、第２記憶手段６１を検索し、ＤＢ同期ファイル４２Ａ−１に係る属性情報について、属性情報ＤＢ４１Ａ−２の属性情報の内容との間で差異があると判断すると、属性情報ＤＢ４１Ａ−２の内容を更新する処理を行う。
【００４０】
以上のように、実施の形態１の空調システムによれば、ローカルバス２１に伝送する空調機器群３１における空調制御情報を含む信号が、メインバス２２及び他の空調機器群３１が接続されたローカルバス２１に伝送されることがない。逆にメインバス２２及び他の空調機器群３１が接続されたローカルバス２１を伝送する信号を伝送することもない。そのため、システム全体の規模を拡張しても、各ローカルバス２１における信号の伝送量（通信トラヒック）への影響が小さくなる。したがって、通信の高速化などを図ることなくシステム規模を容易に拡張することができる。
【００４１】
また、空調機器群３１間で空調制御情報を含む信号を通信することなく、空調動作を行うことができるため、空調機器群３１内でユニークなアドレスを決定することができる。そして、アドレス拡張のために空調機器のハードウェアや処理に係るソフトウェアなどの変更を行わずにシステム規模を拡張することができる。
【００４２】
さらに、ＤＢ同期ファイル４２を含む信号により、それぞれの属性情報ＤＢ４１の更新に係る属性情報のみを１又は複数の分散管理装置１１と集中管理装置１２との間で通信するようにしたので、メインバス２２を効率的に利用することができ、さらに多くの分散管理装置１１（空調機器群３１）の設置に対応することができる。
【００４３】
そして、複数の集中管理装置１２をメインバス２２に接続するようにしても、上記のように、ローカルバス２１における通信トラヒックに与える影響は小さいため、メインバス２２上のネットワーク設計を行うだけでよい。
【００４４】
実施の形態２．
次に本発明の実施の形態２の空調システムについて説明する。ここで、本実施の形態の空調システムの構成は、実施の形態１で説明した図１のシステムと同様の構成であるため、本実施の形態でも図１を用いて説明する。
【００４５】
本実施の形態は、実施の形態１とは、分散管理装置１１及び集中管理装置１２におけるデータの処理などが異なる。本実施の形態では、属性情報を例えばあらかじめ２種類に分けておくようにする。各手段（分散管理装置１１の第１モニタ制御手段５２及び第１設定制御手段５３、集中管理装置１２の第２モニタ制御手段６２及び第２設定制御手段６３）は、各種類に応じたＤＢ同期ファイル（第１ＤＢ同期ファイル４３、第２ＤＢ同期ファイル４４）に格納する処理を行う。そして、第１ＤＢ同期ファイル４３、第２ＤＢ同期ファイル４４を含む信号をそれぞれ所定の間隔で送信するが、本実施の形態は、２つのＤＢ同期ファイルを含む信号の送信周期（タイミング）を異ならせるようにするものである。本実施の形態では、第１ＤＢ同期ファイル４３を含む信号の送信周期の方が短いものとする。これにより、分散管理装置１１と集中管理装置１２との間で、早急に同期させて処理すべき属性情報を含む信号は頻繁に通信を行いつつも、メインバス２２における通信トラヒックの混雑を緩和することができる。ここでは信号の送信周期を異ならせているが、例えば、周波数等、信号の種類、伝送方式などを異ならせることによっても、混雑をさらに防ぐこともできる。
【００４６】
図６は実施の形態２に係る分散管理装置１１の構成を示すブロック図である。図６において図２と同じ番号を付している手段は、実施の形態１において説明したことと同様の動作を行うため、説明を省略する。本実施の形態の分散管理装置１１では、第１モニタ制御手段５２及び第１設定制御手段５３が、前述したように２種類の属性情報に基づく第１ＤＢ同期ファイル４３−１、４３−２と第２ＤＢ同期ファイル４４−１、４４−２とに係る処理を行う。
【００４７】
図７は実施の形態２に係る集中管理装置１２の構成を示すブロック図である。図７において図３と同じ番号を付している手段は、実施の形態１において説明したことと同様の動作を行うため、説明を省略する。本実施の形態の分散管理装置１１でも、第２モニタ制御手段６２及び第２設定制御手段６３が、前述したように２種類の属性情報に基づく第１ＤＢ同期ファイル４３−１、４３−２と第２ＤＢ同期ファイル４４−１、４４−２とに係る処理を行う。
【００４８】
（集中管理装置からの操作）
次に集中管理装置１２側から空調機器を操作する場合の空調システムにおける各手段の処理手順について説明する。外部の指示操作などに基づいて、例えば操作制御情報を含む信号が入力手段６７から第２設定制御手段６３に入力される。
【００４９】
第２設定制御手段６３は、第２記憶手段６１を検索し、対応する属性情報ＤＢ４１−２に記憶された属性情報と比較し、操作制御情報の内容との間で差異があると判断すると、属性情報ＤＢ４１−２の属性情報を、操作制御情報に基づく属性情報に更新する処理を行う。そして、その属性情報の種類を判断し、第１ＤＢ同期ファイル４３−２又は第２ＤＢ同期ファイル４４−２に格納する処理を行う。ここで、第１ＤＢ同期ファイル４３−２には早い処理を行うべき属性情報を格納し、第２ＤＢ同期ファイル４４−２にはそれ以外の属性情報を格納する。第１ＤＢ同期ファイル４３−２に格納する属性情報としては、例えば空調機器の一斉発停などに係る操作制御情報に含まれる属性情報（電源ＯＮ／ＯＦＦを表す属性情報など）がある。一方、第２ＤＢ同期ファイル４４−２に格納する属性情報としては、例えば室内機３の目標温度変更などに係る操作制御情報に含まれる属性情報がある。
【００５０】
そして第２設定制御手段６３は、所定の時間ごとに各空調機器群３１（分散管理装置１１）の第１ＤＢ同期ファイル４３−２を含む信号又は第２ＤＢ同期ファイル４４−２を含む信号を、集中管理通信手段６４から送信させる。ここで、本実施の形態では、例えば第１ＤＢ同期ファイル４３−２を含む信号の送信周期を１秒周期とし、第２ＤＢ同期ファイル４４−２を含む信号の送信周期を１分周期とする。ここで、属性情報の種類を２種類に分けて２つのＤＢ同期ファイルに格納するようにしているが、分類する数は２種類に限定するものではない。また、それぞれのＤＢ同期ファイルに係る送信周期についても、特に限定するものではなく、分類するファイルの数、分散管理装置１１の数などに応じて、それぞれ設定すればよい。
【００５１】
分散管理装置１１では、実施の形態１と同様に、送信された第１ＤＢ同期ファイル４３−２を含む信号又は第２ＤＢ同期ファイル４４−２を含む信号に基づいて処理を行う。
【００５２】
（空調機器の運転状態モニタ）
次に実施の形態２において集中管理装置１２がシステム内の各空調機器の属性情報（運転状態）を収集する（記憶する）際の各手段の処理動作について説明する。
【００５３】
分散管理手段１１の第１モニタ制御手段５２は、実施の形態１と同様に管理下の空調機器に対してローカルバス側通信手段５５から各空調機器にモニタ要求の信号を送信させる。モニタ要求に対するモニタ応答の信号が空調機器からローカルバス側通信手段５５に送信される。第１モニタ制御手段５２は、モニタ応答に係る属性情報に基づいて、属性情報ＤＢ４１−１の内容との間で差異があると判断すると、属性情報ＤＢ４１−１の内容を更新する処理を行う。また、モニタ応答に係る属性情報の種類を判断し、第１ＤＢ同期ファイル４３−１又は第２ＤＢ同期ファイル４４−１に格納する処理を行う。ここで、第１ＤＢ同期ファイル４３−１に格納する属性情報としては、例えば空調機器の異常などに係る緊急性のあるモニタ応答に含まれる属性情報がある。一方、第２ＤＢ同期ファイル４４−１に格納する属性情報としては、例えばメンテナンスに使用する温度情報などに係る操作制御情報に含まれる属性情報がある。
【００５４】
そして第１モニタ制御手段５２は、所定の時間ごとに第１ＤＢ同期ファイル４３−１を含む信号又は第２ＤＢ同期ファイル４４−１を含む信号を、メインバス側通信手段５４から集中管理装置１２に送信させる。ここでも、例えば、第１ＤＢ同期ファイル４３−１を含む信号の送信周期を１秒周期とし、第２ＤＢ同期ファイル４４−１を含む信号の送信周期を１分周期とする。
【００５５】
集中管理装置１２側においては、集中管理通信手段６４を介して第２モニタ制御手段６２が実施の形態１と同様に、送信された第１ＤＢ同期ファイル４３−１を含む信号又は第２ＤＢ同期ファイル４４−１を含む信号に基づいて処理を行う。
【００５６】
以上のように、実施の形態２の空調システムによれば、属性情報の種類に基づいて、更新に係る属性情報を第１ＤＢ同期ファイル４３又は第２ＤＢ同期ファイル４４に分けて格納し、第１ＤＢ同期ファイル４３を含む信号又は第２ＤＢ同期ファイル４４を含む信号をそれぞれ周期を異ならせて送信するようにしたので、実施の形態１のシステムと同様の効果があるだけでなく、例えば異常状態の通知など、素早く応答する必要がある重み付けの高い属性情報に係る同期ファイルを含む信号を優先して送信することができる。そのため、メインバス２２の通信トラヒックの混雑を招くことなく、十分な応答性を確保することができる。
【００５７】
実施の形態３．
図８は本発明の実施の形態３に係る空調システムの構成を示した図である。図８において、図１と同じ番号を付した手段は、基本的に実施の形態１において説明したことと同様の動作を行うため、説明を省略する。
【００５８】
本実施の形態では、１又は複数の室内機５（図８では室内機５−１及び５−２）及びリモコン６からなる空調機器群３２がサブバス２３に接続されている。そして、サブバス２３は中継装置１３を介してローカルバス２１（本実施の形態ではローカルバス２１Ｂとする）と接続されている。そのため、空調機器群３２の各空調機器は中継装置１３及びローカルバス２１Ｂを介して分散管理装置１１Ｂ、室外機１Ｂなどと通信接続されることになる。空調機器群３２内の空調機器についても、空調機器群３１と同様に、それぞれに空調機器群３２内のユニークなアドレスが割り当てられる。
【００５９】
ここで、空調機器群３２は空調機器群３１Ｂとは通信管理単位として異なるが、空調機器群３２の空調機器は、空調機器群３１Ｂを構成する室外機１Ｂと冷媒配管２４で接続され、冷凍サイクルを構築している。そのため、室外機１Ｂは、冷媒的に接続される空調機器群３１Ｂと空調機器群３２とにより、制御する室内機の数を拡張することができる。
【００６０】
図９は実施の形態３に係る分散管理装置１１Ｂの構成を表すブロック図である。図９の分散管理装置１１Ｂの基本的な処理は、基本的には実施の形態１において説明した図２の分散管理装置１１と同じである。ここで、本実施の形態のローカルバス側通信手段５５Ｂは、異なる種類の信号をローカルバス２１Ｂに送受信することができるものとする。本実施の形態では、第１伝送方式の信号及び第２伝送方式の信号の２種類の信号を送受信できるものとする。ただ２種類に限定するものではない。伝送方式については後述する。また、第１記憶手段５１Ｂは、空調機器群３２内の空調機器に係る属性情報を管理するための属性情報ＤＢ４１Ｃ−１を有している。また、第１モニタ制御手段５２Ｂ及び第１設定制御手段５３Ｂも、空調機器群３２内の空調機器の属性情報に係るＤＢ同期ファイル４２Ｃ−１、４２Ｃ−２についての処理を行う。メインバス側通信手段５４Ｂの動作は実施の形態１で説明したメインバス側通信手段５４と同じである。
【００６１】
本実施の形態の集中管理装置１２は、実施の形態１で説明した図３と同じ構成であるため説明を省略する。ただ、本実施の形態では、第２記憶手段６１が空調機器群３２に係る属性情報ＤＢ４１Ｃ−２をさらに有している点、ＤＢ同期ファイル４２Ｃ−１、４２Ｃ−２に係る処理を行う点で異なる。
【００６２】
図１０は中継装置１３の構成を示すブロック図である。本実施の形態の中継装置１３は、プロトコル変換手段８１、サブバス側通信手段８２及びローカルバス側通信手段８３で構成する。プロトコル変換手段８１は、ローカルバス側通信手段８３から受信した空調制御情報を含む第２伝送方式の信号を、第１伝送方式の信号に変換してサブバス側通信手段８２から送信させる。また、サブバス通信手段８２から受信した空調制御情報を含む信号を第２伝送方式の信号に変換してローカルバス側通信手段８３から送信させる。サブバス側通信手段８２は、サブバス２３を介して第１伝送方式の信号を送受信する。また、ローカルバス側通信手段８３は、ローカルバス２１（本実施の形態ではローカルバス２１Ｂ）を介して第２伝送方式の信号を送受信する。
【００６３】
ここで、室外機１Ｂについて、空調機器群３１Ｂ内の室内機３Ｂ（３Ｂ−１、３Ｂ−２）に対しては空調制御情報を含む第１伝送方式の信号を送信する。一方、空調機器群３２内の室内機５（５−１、５−２）に対しては空調制御情報を含む第２伝送方式の信号を送信することで、２つの空調機器群３１Ｂ、３２の空調機器（室内機）を制御することができる。
【００６４】
図１１は第１の伝送方式の信号と第２の伝送方式の信号との周波数スペクトラム及び信号波形の例を示す図である。図１１は第１の伝送方式の信号と第２の伝送方式の信号とにおける信号の周波数帯域を異ならせてローカルバス２１に伝送する周波数多重方式（周波数分割多重方式）を表している。このように、第１の伝送方式の信号と第２の伝送方式の信号との周波数帯域を異ならせることにより、信号が互いに干渉などの影響を起こさないようにする。
【００６５】
図１２は第１の伝送方式の信号と第２の伝送方式との周波数スペクトラム及び信号波形の別の例を示す図である。図１２に示すような符号多重方式（符号分割多重方式）などにより、複数の信号を分割してローカルバス２１に伝送できるようにしても、周波数多重方式の場合と同様の効果を得ることができる。また、これらの方式に限定することなく、他の多重方式により複数の信号を送受信できるようにしてもよい。
【００６６】
（集中管理装置１２から中継装置１３経由の操作）
次に集中管理装置１２側から空調機器群３２内の空調機器を操作する場合の空調システムにおける各手段の処理手順について説明する。
【００６７】
外部の指示操作などに基づいて、例えば空調機器（ここでは、例えばグループＩＤ＝３、アドレス００１の室内機５−１とする）の電源ＯＦＦを表す操作制御情報を含む信号が入力手段６７から第２設定制御手段６３に入力される。
【００６８】
第２設定制御手段６３は、第２記憶手段６１を検索し、グループＩＤ＝３に係る属性情報ＤＢ４１Ｃ−２から、対応する空調機器（アドレス００１の室内機５）の電源状態を確認する。そして、操作制御情報の内容との間で差異がある（記憶された属性値が電源ＯＮのデータである）と判断すると、電源ＯＦＦのデータに属性情報ＤＢ４１Ｃ−２を更新する処理を行う。また、更新した属性情報（アドレス＝１、属性ＩＤ＝１、属性値＝ＯＦＦ）をグループＩＤ＝３に係るＤＢ同期ファイル４２Ｃ−２に格納する処理を行う。
【００６９】
そして第２設定制御手段６３は、所定の時間ごとに各空調機器群３１（分散管理装置１１）のＤＢ同期ファイル４２Ｃ−２を含む信号を、集中管理通信手段６４を介して送信させる。この信号はメインバス２２を伝送する。
【００７０】
一方、分散管理装置１１Ｂ側においては、メインバス側通信手段５４Ｂを介して第１設定制御手段５３ＢがＤＢ同期ファイル４２Ｃ−２を含む信号を受信する。第１設定制御手段５３Ｂは、第１記憶手段５１Ｂを検索し、属性情報ＤＢ４１Ｃ−１から、対応する空調機器（アドレス００１の室内機５−１）の電源状態を確認する。そして、ＤＢ同期ファイル４２Ｃ−２の属性情報の内容との間で差異があると判断すると、属性情報ＤＢ４１Ｃ−２を更新する処理を行う。また、空調制御情報を含む信号をローカルバス２１Ｂに送信するための処理を行う。そして、ローカルバス側通信手段５５Ｂは、第２伝送方式により空調制御情報を含む信号をローカルバス２１に送信する。
【００７１】
中継装置１３では、ローカルバス２１Ｂを介して送信された第２伝送方式の空調制御情報を含む信号をローカルバス側通信手段８３が受信する。そして、プロトコル変換手段８１が、通信プロトコルにしたがって、第２伝送方式の空調制御情報を含む信号を第１伝送方式の空調制御情報を含む信号に変換し、サブバス通信手段８２が第１伝送方式の空調制御情報を含む信号をサブバス２３に送信する。サブバス２３を介して空調制御情報を含む信号を受信したグループＩＤ＝３、アドレス＝００１の空調機器である室内機５−１は電源をＯＦＦにして運転を停止する。
【００７２】
（空調機器の運転状態モニタ）
次に空調機器群３２内の空調機器の属性情報を収集する際の各手段の処理動作について説明する。分散管理手段１１Ｂの第１モニタ制御手段５２Ｂは、ローカルバス側通信手段５５を介して第２伝送方式のモニタ要求の信号を送信する。
【００７３】
中継装置１３では、ローカルバス２１Ｂを介して送信された第２伝送方式のモニタ要求の信号をローカルバス側通信手段８３が受信する。そして、プロトコル変換手段８１が、通信プロトコルにしたがって、第２伝送方式のモニタ要求の信号を第１伝送方式のモニタ要求の信号に変換し、サブバス側通信手段８２が第１伝送方式のモニタ要求の信号をサブバス２３に送信する。サブバス２３を介してモニタ要求の信号を受信した空調機器は、モニタ要求信号に対するモニタ応答の信号を第１伝送方式により送信する。
【００７４】
中継装置１３では、サブバス２３を介して送信された第１伝送方式のモニタ応答の信号をサブバス側通信手段８２が受信する。そして、プロトコル変換手段８１が、通信プロトコルにしたがって、第１伝送方式のモニタ応答の信号を第２伝送方式のモニタ応答の信号に変換し、ローカルバス側通信手段８３が第２伝送方式のモニタ応答の信号をローカルバス２１に送信する。
【００７５】
モニタ応答の信号がローカルバス側通信手段５５Ｂを介して送信されると、第１モニタ制御手段５２Ｂは、モニタ応答の信号に含まれる属性情報に基づいて、差異があると判断すると、属性情報ＤＢ４１Ｃ−１を更新する処理を行う。また、更新に係る属性情報をＤＢ同期ファイル４２Ｃ−１に格納する。
【００７６】
そして、第１モニタ制御手段５２Ｂは、所定の時間ごとにＤＢ同期ファイル４２Ｃ−１を含む信号を、メインバス側通信手段５４Ｂから集中管理装置１２に送信させる。
【００７７】
集中管理装置１２側においては、集中管理通信手段６４を介して第２モニタ制御手段６２がＤＢ同期ファイル４２Ｃ−１を含む信号を受信する。第２モニタ制御手段６２は、第２記憶手段６１を検索し、ＤＢ同期ファイル４２Ｃ−１に係る属性情報との間で差異があると判断すると、その内容に属性情報ＤＢ４１Ｃ−２を更新する処理を行う。
【００７８】
ここで、分散管理装置１１と集中管理装置１２との通信について、本実施の形態ではＤＢ同期ファイルについて特に区別しなかったが、例えば実施の形態２における第１ＤＢ同期ファイル４３及び第２ＤＢ同期ファイル４４に分け、それぞれを含む信号を異なる周期で通信するようにしてもよい。
【００７９】
以上のように実施の形態３の空気調和システムによれば、サブバス２３により接続された空調機器群３１とは別の空調機器群３２を、中継器１３を介してローカルバス２１（本実施の形態ではローカルバス２１Ｂ）と接続し、中継器１３においては、プロトコル変換手段８１により、ローカルバス２１を伝送させるための第１伝送方式の信号とサブバスを伝送させるための第２伝送方式の信号とをプロトコル変換するようにしたので、空調機器群３１の通信トラヒックに影響を与えることなく  空調機器群３２との通信を行うことができる。そして、室外機１Ｂ以外の空調機器のハードウェア及び処理を行うためのソフトウェアを変更する必要がないため、システム規模を容易に拡張することができる。
【産業上の利用可能性】
【００８０】
本発明は、空調機器の変更を最小限に抑え、システム規模を拡張する空調システムに好適である。そのため、特に大規模な空調システムに適している。また、上記の説明では、有線での通信接続について説明したが、例えば、空調機器群間の設置状態などによって混線、干渉などのおそれがなければ、無線通信にも適用することができる。
【符号の説明】
【００８１】
１（１Ａ、１Ｂ）  室外機、３（３Ａ−１，３Ａ−２，３Ｂ−１，３Ｂ−２），５（５−１，５−２）  室内機、４（４Ａ，４Ｂ），６  リモコン、１１（１１Ａ，１１Ｂ）  分散管理装置、１２（１２Ａ，１２Ｂ）  集中管理装置、１３  中継装置、２１（２１Ａ，２１Ｂ）  ローカルバス、２２  メインバス、２３  サブバス、２４  冷媒配管、３１（３１Ａ，３１Ｂ），３２  空調機器群、４１（４１Ａ−１，４１Ｂ−１，４１Ｃ−１，４１Ａ−２，４１Ｂ−２，４１Ｃ−２）  属性情報ＤＢ、４２（４２Ａ−１，４２Ｂ−１，４２Ｃ−１，４２Ａ−２，４２Ｂ−２，４２Ｃ−２）  ＤＢ同期ファイル、４３（４３Ａ−１，４３Ｂ−１，４３Ａ−２，４３Ｂ−２）  第１ＤＢ同期ファイル、４４（４４Ａ−１，４４Ｂ−１，４４Ａ−２，４４Ｂ−２）  第２ＤＢ同期ファイル、５１（５１Ａ，５１Ｂ）  第１記憶手段、５２（５２Ａ，５２Ｂ）  第１モニタ制御手段、５３（５３Ａ，５３Ｂ）  第１設定制御手段、５４（５４Ａ，５４Ｂ）  メインバス側通信手段、５５（５５Ａ，５５Ｂ）  ローカルバス側通信手段、６１  第２記憶手段、６２  第２モニタ制御手段、６３  第２設定制御手段、６４  集中管理通信手段、６６  表示処理手段、６７  入力手段、８１  プロトコル変換手段、８２  サブバス側通信手段、８３  ローカルバス側通信手段。
【図１】
2011163763.tif 000003
【図２】
2011163763.tif 000004
【図３】
2011163763.tif 000005
【図４】
2011163763.tif 000006
【図５】
2011163763.tif 000007
【図６】
2011163763.tif 000008
【図７】
2011163763.tif 000009
【図８】
2011163763.tif 000010
【図９】
2011163763.tif 000011
【図１０】
2011163763.tif 000012
【図１１】
2011163763.tif 000013
【図１２】
2011163763.tif 000014